(57)【要約】【課題】実際のＮＥの状態とＮＭＳでの画面の表示状態とのタイムラグを減らしつつ、通信回線の帯域輻輳を回避する。【解決手段】ヘルスチェックＤＢ値更新部７は、ＮＥに対して定期的に送信するヘルスチェックパケットに対する、ＮＥからのヘルスチェックパケットの応答に基づいて、ＤＢ９に記録されているＮＥの状態を示す値を更新するとともに、ユーザ操作に基づいて送信するＮＥを操作するコマンドに対する、ＮＥからの操作のコマンド応答に基づいて、ＤＢ９に記録されているＮＥの状態を示す値を更新する。【選択図】図２
2018113632.tif 000002
【特許請求の範囲】
【請求項１】
ネットワークを介して接続された監視対象装置の状態を確認する監視装置であって、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視装置。
【請求項２】
前記状態確認信号を前記監視対象装置に対して定期的に送信する状態確認信号送信部と、
前記ユーザ操作に基づいて前記操作信号を前記監視対象装置に対して送信する操作信号送信部と、をさらに備え、
前記状態確認信号送信部は、前記操作信号が送信されている際に、前記状態確認信号の送信を停止する、
ことを特徴とする請求項１に記載の監視装置。
【請求項３】
前記状態確認信号送信部は、前記ユーザ操作が完了すると、所定時間経過後、前記状態確認信号の送信を再開する、
ことを特徴とする請求項２に記載の監視装置。
【請求項４】
ネットワークを介して接続された監視対象装置の状態を確認する監視装置と前記監視対象装置とを備え、
前記監視装置は、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視システム。
【請求項５】
ネットワークを介して接続された監視対象装置の状態を監視装置によって確認する監視方法であって、
前記監視装置から前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新することを特徴とする監視方法。
【請求項６】
ネットワークを介して接続された監視対象装置の状態を確認する監視装置のコンピュータを、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新手段、
として機能させることを特徴とするプログラム。
【発明の詳細な説明】
【技術分野】
【０００１】
本発明は、監視装置、監視システム、監視方法、及びプログラムに関する。
【背景技術】
【０００２】
離れた地域に配置された複数のＮＥ（Ｎｅｔｗｏｒｋ  Ｅｌｅｍｅｎｔ：通信キャリア向けの通信装置）の状態を監視するため、ＮＭＳ（Ｎｅｔｗｏｒｋ  Ｍａｎａｇｅｍｅｎｔ  Ｓｙｓｔｅｍ：ＮＥのネットワークマネジメントシステム）が用いられる。監視装置であるＮＭＳは、監視対象装置である各ＮＥに対してＤＣＮ（Ｄｙｎａｍｉｃ  Ｃｉｒｃｕｉｔ  Ｎｅｔｗｏｒｋ）や伝送路内のＤＣＣ（Ｄａｔａ  Ｃｏｍｍｕｎｉｃａｔｉｏｎ  Ｃｈａｎｎｅｌ）で接続する。
【０００３】
ＮＭＳは、オペレータがＮＭＳの画面から装置の設定やパス登録・変更・削除の操作を行った際に、ＮＥに対してコマンドを送信し、そのコマンドに対する応答をＮＥから受け取る。また、ＮＭＳは、上記のコマンド送受信とは独立してヘルスチェック（Ｈｅａｌｔｈ  Ｃｈｅｃｋ）用のパケットを各ＮＥに対して一定期間毎に送信する。そして、ＮＭＳは、それぞれのＮＥからのヘルスチェックの応答パケットを受信することで、各ＮＥがＮＭＳから監視できているのか、監視ネットワーク上に存在しているかを確認している。
【０００４】
各ＮＥが監視できているか否かは、ＮＭＳのＤＢ（Ｄａｔａ  Ｂａｓｅ：データベース）に値として保存され、該値に基づいて、ディスプレイにそれぞれのＮＥの状態が表示される。オペレータは、ディスプレイに表示されたＮＥの状態から、管理ネットワーク内のＮＥの存在確認ができる。
【０００５】
ヘルスチェックのパケットは、ＤＣＮやＤＣＣ回線を通る。このＤＣＮやＤＣＣには、ヘルスチェックのパケットだけでなく、ＮＥのＡｌａｒｍ発生・復旧パケットや、ネットワーク構成を変更した際にＮＭＳがＮＥから収集する装置情報やＮＥのＦｉｒｍｗａｒｅなどの管理系データも伝送される。このため、ＤＣＮやＤＣＣの帯域は輻輳することがある。
【０００６】
輻輳状態を回避するために、ＤＣＮやＤＣＣの回線を太くするという解決方法がある。しかしながら、ＤＣＮ回線について通信キャリアによっては追加費用が必要になるため回線を太くできない場合がある。また、ＤＣＣ回線については、伝送路に主信号をなるべく多く通すために細い回線にする必要があり、大きな帯域をとることができない。そのため、ＮＥの台数が増えて大規模なネットワークになると、各ＮＥのヘルスチェックの送信・応答パケットについても、ＤＣＮやＤＣＣの帯域を逼迫する原因となるので、ヘルスチェックのパケットの送信する時間間隔を広げて単位時間当たりの送信回数を減らす必要がある。
【０００７】
例えば、特許文献１では、同一通信路上の最遠端のＮＥのヘルスチェックを正常と判断した場合、通信路上の中間に位置する全てのＮＥのヘルスチェックを省略するといった手法が提案されている。
【０００８】
また、特許文献２では、ＮＥからＮＭＳに向けてヘルスチェック以外のパケットが送出されたとき、ヘルスチェックのパケットの送信タイミングをカウントしてトリガ信号を与えるタイマーをリセットすることで、ヘルスチェックのパケットの送信を遅延させる技術が提案されている。
【先行技術文献】
【特許文献】
【０００９】
【特許文献１】特開２０００−４９８０５号公報
【特許文献２】特開平１１−１６３８３９号公報
【発明の概要】
【発明が解決しようとする課題】
【００１０】
しかしながら、特許文献１、２のように、ヘルスチェックのパケットの送信を省略したり、ヘルスチェックのパケットを送信する時間間隔を広げたりして単位時間当たりの送信回数を減らしすぎると、ＮＥが監視できているか否かを保持しているＮＭＳのＤＢの値の更新頻度が下がってしまい、実際のＮＥの状態とＮＭＳでの画面の表示状態とにタイムラグが発生してしまう。
【００１１】
例えば、ＮＥまでのネットワークが不調になりＮＥの監視できない状態に陥ったときに丁度ヘルスチェックのパケット送信・応答のタイミングではない場合がある。この場合、実際には、ＮＥはネットワークから見えない状態になっているのにも関わらず、ヘルスチェックのパケット送信・応答が無いためにＮＥが監視できているか否かを保持しているＮＭＳのＤＢの値が更新されない。このため、ＮＭＳ上ではＮＥが監視できているように見えてしまうという現象が発生してしまう。
【００１２】
したがって、ヘルスチェックのパケットの単位時間当たりの送信回数を減らしつつも、その減らす回数を最低限にして、実際のＮＥの状態とＮＭＳでの画面の表示状態とのタイムラグを減らす必要がある。
【００１３】
特に、特許文献２では、ＮＥ側にタイマーが必要であるため、タイマーを内蔵していないＮＥをＮＭＳが監視する場合には、実現することが難しいという問題がある。また、タイマーを内蔵していないＮＥが大量にある場合、タイマーを組み込むコストがＮＥ毎にかかってしまい、負担が増大してしまうという問題がある。
【００１４】
本発明は、このような事情を考慮してなされたものであり、その目的は、実際のＮＥの状態とＮＭＳでの画面の表示状態とのタイムラグを減らしつつ、通信回線の帯域輻輳を回避することができる監視装置、監視システム、監視方法、及びプログラムを提供することにある。
【課題を解決するための手段】
【００１５】
この発明は、ネットワークを介して接続された監視対象装置の状態を確認する監視装置であって、前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視装置である。
【００１６】
また、この発明は、ネットワークを介して接続された監視対象装置の状態を確認する監視装置と前記監視対象装置とを備え、前記監視装置は、前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視システムである。
【００１７】
また、この発明は、ネットワークを介して接続された監視対象装置の状態を監視装置によって確認する監視方法であって、前記監視装置から前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新することを特徴とする監視方法である。
【００１８】
また、この発明は、ネットワークを介して接続された監視対象装置の状態を確認する監視装置のコンピュータを、前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新手段、として機能させることを特徴とするプログラムである。
【発明の効果】
【００１９】
この発明によれば、実際のＮＥの状態とＮＭＳでの画面の表示状態とのタイムラグを減らしつつ、通信回線の帯域輻輳を回避することができる。
【図面の簡単な説明】
【００２０】
【図１】本発明の一実施形態によるネットワークの構成を示すブロック図である。
【図２】本発明の一実施形態によるＮＭＳ１００の構成を示すブロック図である。
【図３】本発明の一実施形態による第一のシーケンス図である。
【図４】本発明の一実施形態による第二のシーケンス図である。
【図５】本発明の一実施形態による第三のシーケンス図である。
【図６】本発明の一実施形態による監視装置の最少構成を示す図である。
【発明を実施するための形態】
【００２１】
以下、本発明の一実施形態を、図面を参照して説明する。
【００２２】
図１は、本発明の実施形態によるネットワークの構成を示すブロック図である。図において、ＮＭＳ１００（監視装置）は、ＤＣＮを通じてＮＥ（監視対象装置）と接続し、管理データや、Ａｌａｒｍのパケットやヘルスチェックなどの送信パケット・応答パケットなどを通過させる。図１では、ＮＭＳ１００は、ＮＥ２０と接続されている。ＮＥ２０、ＮＥ２１、及びＮＥ２２は、各々、伝送路３０、伝送路３１、及び伝送路３２で接続されている。
【００２３】
伝送路３０、伝送路３１、及び伝送路３２は、ＤＣＣと呼ばれる管理用のチャンネルを有する。ＤＣＣは、管理データや、Ａｌａｒｍのパケットやヘルスチェックなどの送信パケット・応答パケットなどを通過させる。図１では、ＮＭＳ１００は、ＮＥ２０を経由して、ＮＥ２１及びＮＥ２２とＤＣＣ３０、３１で接続されている。
【００２４】
図２は、本発明の実施形態によるＮＭＳ１００の構成を示すブロック図である。図において、ＮＭＳ１００は、ＣＰＵ１、メモリ２、ネットワークカード３、通信部４、操作コマンド送受信部５（操作信号送信部）、ヘルスチェックパケット送受信部６（状態確認信号送信部）、ヘルスチェックＤＢ値更新部７（状態記録部）、ストレージ８、ＤＢ９、グラフィックカード１０、及びディスプレイ１１を備えている。
【００２５】
ＣＰＵ１は、ＮＭＳ１００の各部の動作を所定のプログラムに従って制御する。メモリ２は、ＣＰＵ１によって実行されるプログラムや、プログラムの動作に伴い各種一時データなどを格納する。ネットワークカード３は、ＬＡＮケーブルなどでＮＥのネットワーク２００に接続する。通信部４は、ＮＭＳ１００からのパケットを送信したり、各ＮＥからのパケットを受信したりする。操作コマンド送受信部５は、ネットワークカード３及び通信部４を介して、オペレータの操作をコマンドとしてＮＥへ送信し、ＮＥからの操作のコマンドに対する応答を受信する。
【００２６】
ヘルスチェックパケット送受信部６は、ネットワークカード３及び通信部４を介して、各ＮＥからのヘルスチェックの応答パケットを送受信する。ヘルスチェックＤＢ値更新部７は、ＤＢ９の中に格納されている値（各ＮＥがネットワークに「存在する」か、「存在しない」かを示す情報）を更新する。
【００２７】
ＤＢ９は、ストレージ８内に確保された記憶領域であり、各ＮＥがネットワークに「存在する」か、「存在しない」かを示す値を保持する。ＤＢ９は、それぞれのＮＥ用に「存在する」、「存在しない」の値を、グラフィックカード１０を介して、ディスプレイ１１に供給する。また、ＤＢ９は、ヘルスチェックＤＢ値更新部７の指示により、ＤＢ９が保有する該当ＮＥの「存在する」、「存在しない」の値が更新されると、最新の値をグラフィックカード１０を介して、ディスプレイ１１に供給する。
【００２８】
ディスプレイ１１は、ＮＭＳ１００のグラフィックカード１０を介してＮＭＳ１００のオペレータに対して各種情報、具体的には、各ＮＥに対する「存在する」、「存在しない」の値を表示する。
【００２９】
ヘルスチェックパケット送受信部６は以下の２通りの動作を有する。
第一に、どのオペレータもＮＭＳ１００からＮＥに対して操作をしていない場合、ヘルスチェックパケット送受信部６は、定期的に各ＮＥへヘルスチェックパケットを送信し、各ＮＥからヘルスチェックパケットの応答を受信する。
【００３０】
第二に、あるオペレータがＮＭＳからＮＥに対して操作（ユーザ操作）を行っている場合、ヘルスチェックパケット送受信部６は、一時的にヘルスチェックパケットの送信を停止する。その後、オペレータの操作が完了してしばらく経過すると、定期的な各ＮＥへのヘルスチェックパケット送受信を開始する。
【００３１】
次に、本実施形態の動作について説明する。
以下では、ＮＥ２１で障害が発生した場合の例を説明する。
【００３２】
図３は、本実施形態において、オペレータがＮＭＳの操作を何もしていないときの動作を説明するためのシーケンス図である。ＮＭＳ１００のヘルスチェックパケット送受信部６は、ＮＥ２０に状態確認信号であるヘルスチェックパケットを送信する（ステップＳ３０）。ＮＥ２０は、ヘルスチェックの応答パケット（状態応答信号）を送信し（ステップＳ３１）、ＮＭＳ１００のヘルスチェックパケット送受信部６が受信する。ＮＭＳ１００のヘルスチェックＤＢ値更新部７は、ステップＳ３１をトリガにして、ＮＭＳ１００のストレージ８において状態情報を記憶するＤＢ９を更新する（ステップＳ３２）。
【００３３】
ＮＥ２１とＮＥ２２に対してもそれぞれ同様の動作が行われる。すなわち、ＮＭＳ１００のヘルスチェックパケット送受信部６は、ＮＥ２１にヘルスチェックパケットを送信する（ステップＳ３３）。ＮＥ２１は、ヘルスチェックの応答パケットを送信し（ステップＳ３４）、ＮＭＳ１００のヘルスチェックパケット送受信部６が受信する。ＮＭＳ１００のヘルスチェックＤＢ値更新部７は、ステップＳ３４をトリガにして、ＮＭＳ１００のストレージ８のＤＢ９を更新する（ステップＳ３５）。
【００３４】
また、ＮＭＳ１００のヘルスチェックパケット送受信部６は、ＮＥ２２にヘルスチェックパケットを送信する（ステップＳ３６）。ＮＥ２２は、ヘルスチェックの応答パケットを送信し（ステップＳ３７）、ＮＭＳ１００のヘルスチェックパケット送受信部６が受信する。ＮＭＳ１００のヘルスチェックＤＢ値更新部７は、ステップＳ３７をトリガにして、ＮＭＳ１００のストレージ８のＤＢ９を更新する（ステップＳ３８）。
【００３５】
上記ステップＳ３０〜Ｓ３８までが一連の動作となっており、ＮＭＳ１００は、この一連の動作を、オペレータがＮＭＳ１００の操作を開始してＮＥへコマンド送信するまで、一定時間毎に繰り返す。
【００３６】
図４は、本実施形態において、オペレータがＮＭＳ１００の操作を始めてＮＥへコマンドが送信されたときのシーケンス図である。図４において、ステップＳ３０〜Ｓ３８の間は、オペレータが操作をしていない区間のため、図３に示すシーケンスと同じである。ここで、オペレータがＮＭＳ１００で装置の設定や、パス登録・変更・削除の操作を行うと（ステップＳ４０）、ＮＭＳ１００のヘルスチェックパケット送受信部６は、ヘルスチェックパケットの送信を一時停止する。
【００３７】
次に、ＮＭＳ１００の操作コマンド送受信部５は、オペレータの操作に対応した操作のコマンド（操作信号）をＮＥ２０にコマンド送信する（ステップＳ４１）。ＮＥ２０は、操作のコマンド応答を送信する（ステップＳ４２）。ＮＭＳ１００のヘルスチェックパケット送受信部６は、ＮＥ２０からのコマンド応答を受信し、ＮＭＳ１００のヘルスチェックＤＢ値更新部７は、ステップＳ４２をトリガにして、ＤＢ９を更新する（ステップＳ４３）。ステップＳ４０でのオペレータの操作によってＮＥ２１やＮＥ２２にもコマンドが送信される場合も同様にステップＳ４４〜Ｓ４６や、ステップＳ４７〜Ｓ４９のようになる。
【００３８】
図５は、本実施形態において、オペレータがＮＭＳ１００の操作が完了してしばらく経過するまでのシーケンス図である。図５において、ステップＳ４０〜Ｓ４９は、図４に示す動作と同じ内容である。ステップＳ４９におけるＤＢ９の更新が終わって時間が経過すると、図３に示すステップＳ３０〜Ｓ３８と同様に、ステップＳ５０〜Ｓ５８の繰り返し動作が開始される。
【００３９】
上述した実施形態によれば、オペレータの操作によりコマンドの送信・受信があると、ヘルスチェックパケットの送信とヘルスチェックの応答パケットの送信が一定期間行わないようにしたので、回線を太くすることなく、ＤＣＮやＤＣＣを通るヘルスチェックパケットの送信量とヘルスチェックの応答パケットの送信量とを削減することができる。
【００４０】
また、上述した実施形態によれば、ＮＭＳからのＮＥへのヘルスチェックのパケット送信を一時的に停止した際、ＮＭＳは該当ＮＥからのコマンド応答を、該当ＮＥからのヘルスチェックの応答パケットとして扱うことで、該当ＮＥの監視を継続することができる。
【００４１】
また、上述した実施形態によれば、オペレータの操作が完了し、所定の時間経過後、ＮＭＳは、ＮＥへのヘルスチェックのパケット送信を再開するので、途切れることなくＮＥの監視を継続することができる。
【００４２】
なお、ＮＥ２０〜２２によるネットワーク構成は、図１に示す構成以外であってもよい。また、ＮＭＳ１００のストレージ８は、外部の記憶装置であってもよい。また、オペレータは、複数人であってもよい。また、図３に示すＮＥ２０、２１、２２の各々へのヘルスチェックパケットの送信と、ヘルスチェックの応答パケットの送信と、ＤＢ９の更新のタイミングは、図３と異なっていてもよい。
【００４３】
例えば、図３において、ＤＢ９を更新するステップＳ３２の前に、ヘルスチェックのパケットを送信するステップＳ３３を実施してもよい。図４、図５においても同様である。また、図５において、ステップＳ４０のオペレータの操作が完了して、ステップＳ５０のヘルスチェックパケットの送信を再開するまで時間は、オペレータによって予めＮＭＳ１００に設定されてもよい。
【００４４】
図６は本発明の一実施形態である監視装置の最少構成を示す図である。
監視装置（ＮＭＳ１００）は、ネットワークを介して接続された監視対象装置（ＮＥ２０〜２２）の状態を確認する装置である。そして、監視装置は、監視対象装置に対して定期的に出力する状態確認信号に対する、監視対象装置からの状態応答信号に基づいて、監視対象装置の状態情報を更新するとともに、ユーザ操作に基づいて出力する監視対象装置を操作する操作信号に対する、監視対象装置からの操作応答信号に基づいて、監視対象装置の状態情報を更新するヘルスチェックＤＢ値更新部７を備える。
【００４５】
＜発明の利用が考えられる分野＞
本発明は、通信キャリアの伝送装置、その他の通信装置や、該通信装置のアプリケーション、該通信装置のサービスなどに用いることができ、産業上の利用可能性を有する。
【００４６】
上記の実施形態の一部又は全部は、以下の付記のようにも記載されうるが、以下には限られない。
【００４７】
（付記１）ネットワークを介して接続された監視対象装置の状態を確認する監視装置であって、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視装置。
【００４８】
（付記２）前記状態確認信号を前記監視対象装置に対して定期的に送信する状態確認信号送信部と、
前記ユーザ操作に基づいて前記操作信号を前記監視対象装置に対して送信する操作信号送信部と、をさらに備え、
前記状態確認信号送信部は、前記操作信号が送信されている際に、前記状態確認信号の送信を停止する、
ことを特徴とする付記１に記載の監視装置。
【００４９】
（付記３）前記状態確認信号送信部は、前記ユーザ操作が完了すると、所定時間経過後、前記状態確認信号の送信を再開する、
ことを特徴とする付記２に記載の監視装置。
【００５０】
（付記４）ネットワークを介して接続された監視対象装置の状態を確認する監視装置と前記監視対象装置とを備え、
前記監視装置は、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新部を備えることを特徴とする監視システム。
【００５１】
（付記５）ネットワークを介して接続された監視対象装置の状態を監視装置によって確認する監視方法であって、
前記監視装置から前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新することを特徴とする監視方法。
【００５２】
（付記６）ネットワークを介して接続された監視対象装置の状態を確認する監視装置のコンピュータを、
前記監視対象装置に対して定期的に出力する状態確認信号に対する、前記監視対象装置からの状態応答信号に基づいて、前記監視対象装置の状態情報を更新するとともに、ユーザ操作に基づいて出力する前記監視対象装置を操作する操作信号に対する、前記監視対象装置からの操作応答信号に基づいて、前記監視対象装置の状態情報を更新する状態更新手段、
として機能させることを特徴とするプログラム。
【符号の説明】
【００５３】
１  ＣＰＵ
２  メモリ
３  ネットワークカード
４  通信部
５  操作コマンド送受信部
６  ヘルスチェックパケット送受信部
７  ヘルスチェックＤＢ値更新部
８  ストレージ
９  ＤＢ
１０  グラフィックカード
１１  ディスプレイ
２０、２１、２２  ＮＥ
３０、３１、３２  伝送路
１００  ＮＭＳ
２００  ＮＥのネットワーク
【図１】
2018113632.tif 000003
【図２】
2018113632.tif 000004
【図３】
2018113632.tif 000005
【図４】
2018113632.tif 000006
【図５】
2018113632.tif 000007
【図６】
2018113632.tif 000008